(57)【要約】【課題】ユーザの煩雑な番組確認作業や番組選択、番組消去操作を不要とし、またユーザに質の良い番組のみを提供することが可能な記録再生装置を提供する。【解決手段】番組を受信する番組受信手段２０１と、番組受信手段２０１によって受信された放送番組を記憶する番組記憶手段２０２と、ネットワークを介し、番組の評価値を記憶する評価値蓄積サーバから番組の評価値を取得する評価値受信手段２０５と、評価値取得手段２０５から取得した評価値を基に消去する番組を決定する評価値処理手段２０６と、評価値処理手段２０６で消去指定された番組を番組記憶手段から自動的に消去する番組消去手段２０７とを備える。【選択図】図２
2007324870.tif 000002
【特許請求の範囲】
【請求項１】
番組を受信する番組受信手段と、
前記番組受信手段によって受信された放送番組を記憶する番組記憶手段と、
ネットワークを介し、番組の評価値を記憶する評価値蓄積サーバから番組の評価値を取得する評価値取得手段と、
前記評価値取得手段から取得した評価値を基に消去する番組を決定する評価値処理手段と、
前記評価値処理手段で消去指定された番組を番組記憶手段から自動的に消去する番組消去手段とを備えることを特徴とする記録再生装置。
【請求項２】
前記番組記憶手段の空き容量を判定する空き容量判定手段を更に備え、前記空き容量判定手段により空き容量がある値以下であると判定された場合に消去処理を行うことを特徴とする請求項１に記載の記録再生装置。
【請求項３】
前記評価値処理手段は、番組の評価値がある値以下か否かを判断し、前記ある値以下の場合に番組を消去する決定をすることを特徴とする請求項１又は２に記載の記録再生装置。
【請求項４】
前記評価値処理手段は、評価値が最も低い番組を削除する決定をすることを特徴とする請求項１又は２に記載の記録再生装置。
【請求項５】
前記評価値蓄積サーバへ評価値を送信する評価値送信手段を更に備えることを特徴とする請求項１〜４のいずれか１項に記載の記録再生装置。
【請求項６】
前記評価値蓄積サーバへ送信する評価値を入力するための評価値入力手段を更に備えることを特徴とする請求項１〜５のいずれか１項に記載の記録再生装置。
【請求項７】
前記番組記憶手段に記憶された番組の消去を防止する設定を行う番組消去防止設定手段を更に備え、前記番組消去防止設定手段から設定された番組は自動消去対象外とすることを特徴とする請求項１〜６のいずれか１項に記載の記録再生装置。
【請求項８】
番組を受信する番組受信工程と、
前記番組受信工程において受信された放送番組を記憶手段に記憶する番組記憶工程と、
ネットワークを介し、番組の評価値を記憶する評価値蓄積サーバから番組の評価値を取得する評価値取得工程と、
前記評価値取得工程において取得した評価値を基に消去する番組を決定する評価値処理工程と、
前記評価値処理工程で消去指定された番組を前記番組記憶工程において前記記憶手段に記憶した番組から自動的に消去する番組消去工程とを有することを特徴とする記録再生方法。
【請求項９】
前記記憶手段の空き容量を判定する空き容量判定工程を更に有し、前記空き容量判定工程において空き容量がある値以下であると判定された場合に消去処理を行うことを特徴とする請求項８に記載の記録再生方法。
【請求項１０】
前記評価値処理工程において、番組の評価値がある値以下か否かを判断し、前記ある値以下の場合に番組を消去する決定をすることを特徴とする請求項８又は９に記載の記録再生方法。
【請求項１１】
前記評価値処理工程において、評価値が最も低い番組を削除する決定をすることを特徴とする請求項８又は９に記載の記録再生方法。
【請求項１２】
前記評価値蓄積サーバへ評価値を送信する評価値送信工程を更に有することを特徴とする請求項８〜１１のいずれか１項に記載の記録再生方法。
【請求項１３】
前記評価値蓄積サーバへ送信する評価値を入力するための評価値入力工程を更に有することを特徴とする請求項８〜１２のいずれか１項に記載の記録再生方法。
【請求項１４】
前記番組記憶工程において前記記憶手段に記憶された番組の消去を防止する設定を行う番組消去防止設定工程を更に有し、前記番組消去防止設定工程で設定された番組は自動消去対象外とすることを特徴とする請求項８〜１３のいずれか１項に記載の記録再生方法。
【請求項１５】
番組を受信する番組受信ステップと、
前記番組受信ステップにおいて受信された放送番組を記憶手段に記憶する番組記憶ステップと、
ネットワークを介し、番組の評価値を記憶する評価値蓄積サーバから番組の評価値を取得する評価値取得ステップと、
前記評価値取得ステップにおいて取得した評価値を基に消去する番組を決定する評価値処理ステップと、
前記評価値処理ステップで消去指定された番組を前記番組記憶ステップにおいて前記記憶手段に記憶した番組から自動的に消去する番組消去ステップと、をコンピュータに実行させることを特徴とするプログラム。
【請求項１６】
前記記憶手段の空き容量を判定する空き容量判定ステップを更に有し、前記空き容量判定ステップにおいて空き容量がある値以下であると判定された場合に消去処理を行うことを特徴とする請求項１５に記載のプログラム。
【請求項１７】
前記評価値処理ステップにおいて、番組の評価値がある値以下か否かを判断し、前記ある値以下の場合に番組を消去する決定をすることを特徴とする請求項１５又は１６に記載のプログラム。
【請求項１８】
前記評価値処理ステップにおいて、評価値が最も低い番組を削除する決定をすることを特徴とする請求項１５又は１６に記載のプログラム。
【請求項１９】
前記評価値蓄積サーバへ評価値を送信する評価値送信ステップを更に有することを特徴とする請求項１５〜１８のいずれか１項に記載のプログラム。
【請求項２０】
前記評価値蓄積サーバへ送信する評価値を入力するための評価値入力ステップを更に有することを特徴とする請求項１５〜１９のいずれか１項に記載のプログラム。
【請求項２１】
前記番組記憶ステップにおいて前記記憶手段に記憶された番組の消去を防止する設定を行う番組消去防止設定ステップを更に有し、前記番組消去防止設定ステップで設定された番組は自動消去対象外とすることを特徴とする請求項１５〜２０のいずれか１項に記載のプログラム。
【発明の詳細な説明】
【技術分野】
【０００１】
本発明は、放送された番組を記録再生する記録再生装置、記録再生方法及びプログラムに関し、特に、サーバから受信した各番組の評価値に基づいて自動的に番組を消去する記録再生装置、記録再生方法及びプログラムに関する。
【背景技術】
【０００２】
近年、地上波、衛星放送、ケーブルＴＶ、インターネット等で放送される番組などのコンテンツを受信し、ハードディスク等の大容量の記憶媒体へ番組を記録し、再生を行うハードディスクビデオレコーダやパーソナルコンピュータ等の番組記録再生装置がある。
【０００３】
このような装置では、手動での録画操作はもちろん、予め録画する番組を予約し自動的に録画を行うことも可能となっている。
【０００４】
しかし、ハードディスクの容量にも制限があるため、多数、又は長時間の番組をハードディスクに録画するとハードディスクの空き容量が足りなくなり、それ以上の録画は出来なくなるという問題があった。
【０００５】
そのため新規録画をするためにはユーザは録画済の番組コンテンツを削除し、ハードディスクの空き容量を確保してから録画を行う必要があった。その際、ユーザは多数の録画済コンテンツの内容を確認し、削除してもよいコンテンツかどうかの選択をする必要があり、選択や消去操作等が煩雑であった。
【０００６】
従来技術として、特許文献１には、映像情報蓄積部に記録した映像情報各々について時刻情報を持たせ、映像情報蓄積部が所定の蓄積量を超える場合には最も古い映像情報を削除し空き容量を確保するという提案がなされている。
【０００７】
また、特許文献２には、録画時にハードディスクの残量がない場合、視聴済みコンテンツであったり古いコンテンツであったりするコンテンツを削除するという提案がなされている。
【０００８】
また、特許文献３には、一定の番組数または一定の時間分だけ常に録画し続け、簡易的なタイムフリー視聴可能なシステムで、一定の番組数または時間長から外れた番組または番組の一部分については消去し容量を節約するという提案がなされている。
【０００９】
一方、特許文献４には、多くのコンテンツからユーザの所望のコンテンツを探す作業を軽減させるため、ユーザに応じた推薦コンテンツを画面へ表示させ、ユーザの嗜好に合わせたコンテンツを画面へ表示しユーザの負荷を軽減するという提案がなされている。
【００１０】
【特許文献１】特開平８−１１５３３３号公報
【特許文献２】特開２００２−１１２１５０号公報
【特許文献３】特開２０００−１８４３２０号公報
【特許文献４】特開２００５−９４１１５号公報
【発明の開示】
【発明が解決しようとする課題】
【００１１】
しかし、上述したような従来技術では、ユーザの望むような的確なコンテンツ削除が出来ない場合があるという課題があった。
【００１２】
例えば、コンテンツの更新時刻情報や視聴回数で判断し削除する場合では、ユーザが興味のある見たいコンテンツを消去してしまう場合がある。
【００１３】
あるいは、他の番組視聴ユーザの評価の高い質の良い番組や世間一般で注目されている番組は、消去せずに残しておきたいであろうが、このようなことは考慮されずにかまわず消去されてしまうという場合があるという課題があった。
【００１４】
本発明は上記のような問題点を鑑みてなされたもので、ユーザの煩雑な番組確認作業や番組選択、番組消去操作を不要とし、またユーザに質の良い番組のみを提供することが可能な記録再生装置、記録再生方法及びプログラムを提供することを目的とする。
【課題を解決するための手段】
【００１５】
本発明の記録再生装置は、番組を受信する番組受信手段と、前記番組受信手段によって受信された放送番組を記憶する番組記憶手段と、ネットワークを介し、番組の評価値を記憶する評価値蓄積サーバから番組の評価値を取得する評価値取得手段と、前記評価値取得手段から取得した評価値を基に消去する番組を決定する評価値処理手段と、前記評価値処理手段で消去指定された番組を番組記憶手段から自動的に消去する番組消去手段とを備えることを特徴とする。
また、本発明の記録再生方法は、番組を受信する番組受信工程と、前記番組受信工程において受信された放送番組を記憶手段に記憶する番組記憶工程と、ネットワークを介し、番組の評価値を記憶する評価値蓄積サーバから番組の評価値を取得する評価値取得工程と、前記評価値取得工程において取得した評価値を基に消去する番組を決定する評価値処理工程と、前記評価値処理工程で消去指定された番組を前記番組記憶工程において前記記憶手段に記憶した番組から自動的に消去する番組消去工程とを有することを特徴とする。
また、本発明のプログラムは、番組を受信する番組受信ステップと、前記番組受信ステップにおいて受信された放送番組を記憶手段に記憶する番組記憶ステップと、ネットワークを介し、番組の評価値を記憶する評価値蓄積サーバから番組の評価値を取得する評価値取得ステップと、前記評価値取得ステップにおいて取得した評価値を基に消去する番組を決定する評価値処理ステップと、前記評価値処理ステップで消去指定された番組を前記番組記憶ステップにおいて前記記憶手段に記憶した番組から自動的に消去する番組消去ステップと、をコンピュータに実行させることを特徴とする。
【発明の効果】
【００１６】
本発明によれば、ユーザの煩雑な番組確認作業や番組選択、番組消去操作を不要とし、またユーザに質の良い番組のみを提供することが可能となる。
【発明を実施するための最良の形態】
【００１７】
（第１の実施の形態）
以下、本発明の第１の実施形態について図面を参照して詳細に説明する。図１は本発明を適用した記録再生装置の全体構成図の一例を示した図である。
【００１８】
図１において、１０１はハードディスク等の記憶装置を内蔵し、インターネット等のネットワーク１０３と接続され、放送局やネットワークから配信されたＴＶ番組等の映像・音声を記録し、再生可能なハードディスクレコーダである記録再生装置である。
【００１９】
１０２は表示装置であり、記録再生装置１０１から出力された映像や記録再生装置１０１を設定・操作するためのユーザインタフェース（ＵＩ）などの表示を行う。
【００２０】
１０４はＴＶ放送、ＢＳ放送、ＣＳ放送、ケーブルテレビ放送等の放送局又は放送事業者であり、番組の配信が行われる。
【００２１】
１０５は評価値蓄積サーバである。ここには配信された番組コンテンツそれぞれに対し評価値が記録されている。１０７は記録再生装置１０１へ各種入力や操作を行う為のリモコンやタッチパネル等である入力手段である。
【００２２】
評価値とは番組の評価を表す値であり、視聴率や評論家や専門家による番組の評価、番組の評判などの注目度、放送局側のお勧め度、等により決定される。これらは評価値入力端末１０６による入力も可能である。
【００２３】
ここで、削除対象となる番組コンテンツは録画されたものであり他のユーザは既に視聴済みである場合が多い。そのため評価値を決定する際の情報として、番組の視聴率や各記憶再生装置から送信された情報等も利用可能である。
【００２４】
また、これらの情報は多くのユーザから集計することにより、より信頼性の高い評価値として利用することが可能である。
【００２５】
例えば、多くのユーザが予約をした番組や、再生回数・再生時間の多い番組等は、多くのユーザが興味を持つ質のよい番組であると考えられる。
【００２６】
また、録画日時が古く再生回数の少ない番組等は多くのユーザがあまり興味を持っていない番組であると考えられる。
【００２７】
図２は本発明を適用した第１実施形態に係る記録再生装置の構成例を示す機能ブロック図である。図２において、記録再生装置１０１は、番組受信部２０１、番組記憶部２０２、制御部２０３、空き容量判定部２０４、評価値送受信部２０５、評価値処理部２０６、番組消去部２０７、映像出力部２０８から構成されている。
【００２８】
番組受信部２０１は、チューナーを含み、放送波やネットワークからの映像データ、音声データ等、番組コンテンツの受信を行う。２０２は番組記憶部であり、受信した番組のハードディスク等の記憶媒体への記録を行う。
【００２９】
制御部２０３はＣＰＵやＭＰＵ等から成り、記録再生装置１０１の各種制御を行う。空き容量判定部２０４は、ユーザから手動録画や録画予約などで録画要求があった時、番組記憶部２０２の現在の空き容量を取得し、録画予定の番組が記憶できる空き容量があるかどうかの判定を行う。あるいは、ユーザからの録画要求があった場合だけでなく、空き容量の最小値を予め設定しておき、空き容量が設定した値以下になるのを検出してもよい。
【００３０】
評価値送受信部２０５は、ネットワーク１０３を介して評価値蓄積サーバ１０５と接続され、評価値や、評価値を決定する際の情報の送受信を行う。
【００３１】
評価値送受信部２０５は、番組記憶部２０２に十分な空き容量がない場合に、録画済み番組から削除する番組を決定するための各番組の評価値の取得要求を評価値蓄積サーバに送信する。
【００３２】
空き容量の最小値を予め設定した場合では、空き容量が設定した値以下になった場合に評価値取得要求を評価値蓄積サーバ１０５に送信する。評価値取得要求を評価値蓄積サーバ１０５に送信後、各番組の評価値を受信する。
【００３３】
また、評価値蓄積サーバ１０５に対し、適宜番組の評価値を決定する際の参考となる情報を送信する。例えば、ユーザが番組予約をした際には予約番組情報、ユーザが記録した番組に対しての再生回数や、再生時間、録画日時等の情報である。
【００３４】
評価値処理部２０６は、番組記憶部２０２に記録されている番組のうち、最も評価値の低い番組から消去とすることを決定する。消去番組決定処理は、空き容量が十分になるまで繰り返し処理される。
【００３５】
番組消去部２０７は、評価値処理部２０６で指定された番組の消去を行う。映像出力部２０８は、外部の表示装置２０９と接続され、表示装置２０９へ番組の映像データの出力を行う。
【００３６】
図３は本発明を適用した評価値蓄積サーバ１０５の構成例を示す機能ブロック図である。図３において、評価値蓄積サーバ１０５は、評価値記憶部３０１、送受信部３０２、制御部３０３、評価値処理部３０４で構成されている。
【００３７】
評価値記憶部３０１は、番組とそれに対応する評価値や評価値を決定する際の参考となる予約数や再生回数、視聴率等の情報を記憶している。
【００３８】
送受信部３０２は、ネットワーク１０３を介して接続された各記録再生装置からの評価値取得要求を受信し、各番組に対しての評価値を返信する。また、各記録再生装置から評価値を決定する際の参考となる情報の受信を行う。
【００３９】
制御部３０３は、ＣＰＵやＭＰＵ等から成り、評価値蓄積サーバ１０５の各種制御を行う。評価値処理部３０４は、記録再生装置からの評価値取得要求に対し、評価値記憶部３０１に記憶されている評価値、あるいは各記録再生装置から集計した予約数や再生回数等の情報を基に最終的な評価値を決定し、要求のあった各番組の評価値を返信する。
【００４０】
図４は、本実施の形態における記録再生装置の番組自動削除の処理手順を示したフローチャートである。
【００４１】
ステップＳ４０１では、ユーザからの手動録画や録画予約などの録画要求を待機する。録画要求が検出された場合はステップＳ４０２へ進む。
【００４２】
ステップＳ４０２では、ステップＳ４０１録画要求を検出した場合に、番組記憶部２０２の現在の空き容量を取得し、録画予定の番組が記録できる空き容量があるか否かの判定を行う。
【００４３】
空き容量が足りないと判定された場合はステップＳ４０３へ進む。ステップＳ４０３では、空き容量が予め設定した所定値以下であるか否かの判定を行う。所定値以上であると判定された場合は空き容量が十分であるためステップＳ４０９へ進む。
【００４４】
ステップＳ４０４では、ステップＳ４０２で空き容量が足りないと判定された場合、又はステップＳ４０３で空き容量が所定値以下であると判定された場合に、録画済み番組から削除する番組を決定するための各番組の評価値の取得要求を評価値蓄積サーバ１０５に送信する。
【００４５】
ステップＳ４０５で、評価値蓄積サーバ１０５から各番組の評価値を受信する。そして、ステップＳ４０６では、ステップＳ４０５で受信した各番組の評価値を比較し、最も評価値の低い番組を消去対象とする。
【００４６】
ステップＳ４０７では、ステップＳ４０６で消去対象となった番組の消去を行う。ここでは消去としているが、対象となった番組を圧縮しデータ量を削減し番組記憶部２０２の空き容量を確保するようにしてもよい。あるいはＤＶＤやネットワークで接続されたハードディスク等の他の記憶媒体へ移動させ番組記憶部の空き容量を確保するようにしてもよい。
【００４７】
ステップＳ４０８で、空き容量が十分確保されたかどうかの判定を行う。空き容量が十分に確保されるまでステップＳ４０６、ステップＳ４０７の処理を繰り返す。
【００４８】
空き容量が十分確保された後、ステップＳ４０９で録画要求を実行し、ステップＳ４０１へ戻る。
【００４９】
図５は、本実施の形態における評価値蓄積サーバの評価値送受信の処理手順を示すフローチャートである。
【００５０】
ステップＳ５０１で、サーバは記録再生装置からの評価値取得要求を待機する。評価値取得要求を受信した場合はステップＳ５０２へ進み、評価値記憶部３０１から各番組の評価値を取得する。
【００５１】
ステップＳ５０３で、取得した各番組の評価値を要求のあった記録再生装置へ返信する。なお、本実施の形態では、図２に示す表示装置２０９と記録再生装置１０５は別体としたが一体であってもよい。
【００５２】
以上のように第１の実施の形態によれば、ユーザの煩雑な番組確認作業や番組選択、番組消去操作を不要とし、またユーザに質の良い番組のみを提供することが可能となる。
【００５３】
（第２の実施の形態）
以下に詳述する第２の実施形態においても図１に示した構成と同様とし説明は省略する。図６は本発明を適用した第２実施形態に係る記録再生装置の構成例を示す機能ブロック図である。
【００５４】
図６において、記録再生装置６００は、番組受信部６０１、番組記憶部６０２、制御部６０３、空き容量判定部６０４、評価値送受信部６０５、評価値処理部６０６、番組消去部６０７、映像出力部６０８、評価値を入力するための評価値入力部６１０、番組消去防止設定部６１１から構成されている。
【００５５】
番組受信部６０１は、チューナーを含み、放送波やネットワークからの映像データ、音声データ等、番組コンテンツの受信を行う。６０２は番組記憶部であり、受信した番組のハードディスク等の記憶媒体への記録を行う。
【００５６】
制御部６０３はＣＰＵやＭＰＵ等から成り、記録再生装置６００の各種制御を行う。空き容量判定部６０４は、ユーザから手動録画や録画予約などで録画要求があった時、番組記憶部６０２の現在の空き容量を取得し、録画予定の番組が記憶できる空き容量があるかどうかの判定を行う。あるいは、ユーザからの録画要求があった場合だけでなく、空き容量の最小値を予め設定しておき、空き容量が設定した値以下になるのを検出してもよい。
【００５７】
評価値送受信部６０５は、ネットワーク１０３を介して評価値蓄積サーバ１０５と接続され、評価値や評価値を決定する際の情報の送受信を行う。
【００５８】
評価値送受信部６０５は、番組記憶部６０２に十分な空き容量がない場合に、録画済み番組から削除する番組を決定するための各番組の評価値の取得要求を評価値蓄積サーバ１０５に送信する。
【００５９】
空き容量の最小値を予め設定した場合では、空き容量が設定した値以下になった場合に評価値取得要求を評価値蓄積サーバ１０５に送信する。評価値取得要求を評価値蓄積サーバ１０５に送信後、各番組の評価値を受信する。
【００６０】
また、評価値蓄積サーバ１０５に対し、適宜番組の評価値を決定する際の参考となる情報を送信する。例えば、ユーザが番組予約をした際には予約番組情報、ユーザが記録した番組に対しての再生回数や、再生時間、録画日時等の情報である。
【００６１】
評価値処理部６０６は、番組記憶部６０２に記録されている番組のうち、最も評価値の低い番組から消去とすることを決定する。消去番組決定処理は、空き容量が十分になるまで繰り返し処理される。
【００６２】
番組消去部６０７は、評価値処理部６０６で指定された番組の消去を行う。映像出力部６０８は、外部の表示装置６０９と接続され、表示装置６０９へ番組の映像データの出力を行う。
【００６３】
評価値入力部６１０は、ユーザからの番組の評価の入力を受け付ける。入力は、記録再生装置６００と赤外線等の無線又は有線で接続されたリモコンやキーボード、タッチパッド等の入力装置６１２から入力する。
【００６４】
ユーザからの評価とは、番組に対し、最高、良い、普通、悪い、最悪などの５段階評価等を入力可能とするものであり、各ユーザの主観的評価を入力可能である。
【００６５】
このようなユーザによる評価を各記録再生装置からサーバへ送信、集計、平均をとることで、世間一般の番組の評価の良し悪しを計ることが出来る。
【００６６】
例えば、ある番組の集計結果の評価値が、他の番組の評価値と比べ相対的によいものであれば、その番組は多くのユーザから良い評価を得ている良い番組である、と推測することが出来る。
【００６７】
また、ユーザからの評価値の入力は、ユーザがある番組を一定時間以上又は一定割合以上を視聴した番組に対してのみ入力可能としてもよい。
【００６８】
番組消去防止設定部６１１は、番組記憶部６０２に記録されている番組に対し消去防止設定を行うものである。消去防止設定操作は、番組記憶部６０２に記録されている番組のリストを表示装置６０９に表示し、ユーザにリモコン等で消去しない番組を選択させることで設定を行う。
【００６９】
図７は、本実施の形態における評価入力の処理手順を示すフローチャートである。
【００７０】
ステップＳ７０１において、所定条件以上対象番組を視聴したか否かの判定を行う。所定条件とは、番組に対し所定時間以上、又は割合以上視聴した場合等、ユーザが評価するに値する程度番組を視聴したと考えられる条件である。上記条件を満たさない場合は評価の入力を不可とする。
【００７１】
ステップＳ７０１にて条件を満たした場合は、ステップＳ７０２にて、評価入力ＵＩを表示装置６０９に表示し、ユーザからの評価入力待ち状態にする。ユーザは赤外線等の無線又は有線で接続されたリモコンやキーボード、タッチパッド等の入力装置６１２から入力する。
【００７２】
ステップＳ７０３で、ユーザによる評価が入力された場合はステップＳ７０４へ進む。入力されずキャンセルされた場合は、評価入力処理を終了する。そして、ステップＳ７０４では、入力された評価をサーバへ送信する。
【００７３】
図８は、本実施の形態における記録再生装置の番組自動削除の処理手順を示したフローチャートである。
【００７４】
ステップＳ８０１では、ユーザからの手動録画や録画予約などの録画要求を待機する。録画要求が検出された場合はステップＳ８０２へ進む。
【００７５】
ステップＳ８０２では、ステップＳ８０１録画要求を検出した場合に、番組記憶部６０２の現在の空き容量を取得し、録画予定の番組が記録できる空き容量があるか否かの判定を行う。空き容量が足りないと判定された場合はステップＳ８０３へ進む。
【００７６】
ステップＳ８０３では、空き容量が予め設定した所定値以下であるか否かの判定を行う。所定値以上であると判定された場合は空き容量が十分であるためステップＳ８０９へ進む。
【００７７】
ステップＳ８０４では、ステップＳ８０２で空き容量が足りないと判定された場合、又はステップＳ８０３で空き容量が所定値以下であると判定された場合に、録画済み番組から削除する番組を決定するための各番組の評価値の取得要求を評価値蓄積サーバに送信する。
【００７８】
ここで、評価を要求する番組リストは、消去防止設定部６１１により設定された消去不可番組を番組リストから除外し、除外済み番組リストの番組の評価を評価値蓄積サーバ１０５へ要求する。
【００７９】
このようにすることでネットワークの負荷及びサーバでの処理を軽減させ応答を高速化することが出来る。ここでは除外済み番組リストの番組の評価を評価値蓄積サーバ１０５へ要求するとしているが、全ての録画済番組の評価値を要求し、各番組の評価値比較し消去番組を決定する段階で消去不可番組を除いて決定するようにしてもよい。
【００８０】
ステップＳ８０５で、評価値蓄積サーバから除外済み番組リストの各番組の評価値を受信する。そして、ステップＳ８０６では、ステップＳ８０５で受信した各番組の評価値を比較し、最も評価値の低い番組を消去対象とする。
【００８１】
ステップＳ８０７では、ステップＳ８０６で消去対象となった番組の消去を行う。ここでは消去としているが、対象となった番組を圧縮しデータ量を削減し番組記憶部６０２の空き容量を確保するようにしてもよい。あるいはＤＶＤやネットワークで接続されたハードディスク等の他の記憶媒体へ移動させ番組記憶部の空き容量を確保するようにしてもよい。
【００８２】
ステップＳ８０８で、空き容量が十分確保されたかどうかの判定を行う。空き容量が十分に確保されるまでステップＳ８０６、ステップＳ８０７の処理を繰り返す。空き容量が十分確保された後、ステップＳ８０９で録画要求を実行し、ステップＳ８０１へ戻る。
【００８３】
以上のように第２の実施の形態によれば、ユーザの煩雑な番組確認作業や番組選択、番組消去操作を不要とし、またユーザに質の良い番組のみを提供することが可能となる。
【００８４】
また、ユーザによる評価を各記録再生装置からサーバへ送信、集計することで、番組の評価をより信頼度の高いものとすることが出来、評価の低い番組は自動消去されユーザの番組選択、内容確認、消去等の手間が不要となる。そのため、評価の高い番組のみをユーザに提供することが出来る。
【００８５】
また、自動消去防止設定を番組に設定可能としたことでユーザが見たい番組を残しつつ自動消去を行うことが出来る。
【００８６】
なお、本発明は、上述した実施の形態の機能を実現するソフトウエアのプログラムを、コンピュータ又はＣＰＵに供給し、そのコンピュータ又はＣＰＵが該供給されたプログラムを読み出して実行することによっても本発明の目的が達成されることは云うまでもない。
【００８７】
この場合、上記プログラムは、該プログラムを記録した記憶媒体から直接、又はインターネット、商用ネットワーク、若しくはローカルエリアネットワーク等に接続される不図示の他のコンピュータやデータベース等からダウンロードすることにより供給される。
【００８８】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を備えるものでもよい。
【００８９】
更にまた、上述した実施の形態の機能を実現するソフトウエアのプログラムを記録した記憶媒体をコンピュータに供給し、そのコンピュータ又はＣＰＵが記憶媒体に格納されたプログラムを読み出し実行することによっても、本発明の目的が達成されることはいうまでもない。
【００９０】
上述した実施の形態では、プログラムはＲＯＭに格納されているが、これに限定する必要はなく、プログラムを供給する記憶媒体としては、例えば、ＲＡＭ、ＮＶ−ＲＡＭ、フロッピー（登録商標）ディスク、ハードディスク、光ディスク、光磁気ディスク、ＣＤ−ＲＯＭ、ＭＯ、ＣＤ−ＲＯＭ、ＣＤ−ＲＷ、ＤＶＤ（ＤＶＤ−ＲＯＭ、ＤＶＤ−Ｒ、ＤＶＤ−ＲＷ、ＤＶＤ−ＲＡＭ）、磁気テープ、不揮発性のメモリカード、他のＲＯＭ等の上記プログラムを記憶できるものであればよい。
【図面の簡単な説明】
【００９１】
【図１】本発明の実施の形態に係る記録再生装置の全体構成を示す図である。
【図２】本発明の第１の実施の形態に係る記録再生装置の機能ブロック図である。
【図３】本発明の第１の実施の形態に係る評価蓄積サーバの構成例を示す機能ブロック図である。
【図４】本発明の第１の実施の形態に係る記録再生装置における処理手順を示したフローチャートである。
【図５】本発明の第１の実施の形態に係る評価蓄積サーバにおける処理手順を示したフローチャートである。
【図６】本発明の第２の実施の形態に係る記録再生装置の機能ブロック図である。
【図７】本発明の第２の実施の形態に係る評価入力の処理手順を示したフローチャートである。
【図８】本発明の第２の実施の形態に係る記録再生装置における処理手順を示したフローチャートである。
【符号の説明】
【００９２】
１０１  記録再生装置
１０２  表示装置
１０３  ネットワーク
１０４  放送局
１０５  評価値蓄積サーバ
１０６  評価値入力端末
２０１  番組受信部
２０２  番組記憶部
２０３  制御部
２０４  空き容量判定部
２０５  評価値送受信部
２０６  評価値処理部
２０７  番組消去部
２０８  映像出力部
２０９  表示装置
３０１  評価値記憶部
３０２  送受信部
３０３  制御部
３０４  評価値処理部
６００  記録再生装置
６０１  番組受信部
６０２  番組記憶部
６０３  制御部
６０４  空き容量判定部
６０５  評価値送受信部
６０６  評価値処理部
６０７  番組消去部
６０８  映像出力部
６０９  表示装置
６１０  評価値入力部
６１１  番組消去防止設定部
６１２  入力装置
【図１】
2007324870.tif 000003
【図２】
2007324870.tif 000004
【図３】
2007324870.tif 000005
【図４】
2007324870.tif 000006
【図５】
2007324870.tif 000007
【図６】
2007324870.tif 000008
【図７】
2007324870.tif 000009
【図８】
2007324870.tif 000010